【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
眼を撮像するためのシステムであって、
ビームを前記眼に向けてビーム経路に沿って出力するように構成されたレーザビーム源と、
前記出力ビームを前記眼内の複数の位置に向けるように構成されたビームスキャナと、
前記レーザビーム源と前記眼の間の前記ビーム経路に沿って位置決めされ、前記出力ビームを第１の偏光又は第２の偏光を有するように偏光するように構成され、第１の構成にある時に該出力ビームを該第１の偏光を有するように偏光しかつ第２の構成にある時に該出力ビームを該第２の偏光を有するように偏光する、可変軸偏光システムと、
前記眼から反射された電磁放射線を受光するように位置決めされたセンサと、
を含み、
前記偏光システムは、焦点からの当該反射電磁放射線を当該反射電磁放射線が当該センサに到達する前に受光するように更に構成されている、
ことを特徴とするシステム。
【請求項２】
異なる電磁放射線ビーム経路を用いて眼を治療かつ撮像するためのレーザベースの眼球手術システムであって、
電磁放射線ビームを前記眼内のターゲットに送出するためのレーザ送出システムと、
前記電磁放射線ビームの直径を調節するために前記レーザ送出システムに結合されたビーム拡大器と、
前記電磁放射線ビームを偏光するために前記拡大器に結合された減衰器と、
前記電磁放射線ビームを通過させるか又は阻止するために前記減衰器に結合されたシャッターと、
前記電磁放射線ビームを分離するための偏光ビームスプリッタと、
前記電磁放射線ビームを誘導するためのバイパスアセンブリと、
前記眼を撮像するためのセンサと、
を含み、
前記電磁放射線ビームは、高電力レベル治療モードにおいて前記偏光ビームスプリッタをバイパスするように向けられ、当該電磁放射線ビームは、低電力レベル撮像モードにおいて前記偏光ビームスプリッタの方向に向けられる、
ことを特徴とするレーザベースの眼球手術システム。
【請求項３】
前記眼内の前記ターゲットの共焦点撮像を可能にするための１又は２以上の波長板
を更に含むことを特徴とする請求項２に記載のレーザベースの眼球手術システム。
【請求項４】
前記眼内の前記ターゲットの眼球構造を撮像して当該撮像された構造内の複屈折効果を補償するための１又は２以上の波長板角度
を更に含むことを特徴とする請求項２に記載のレーザベースの眼球手術システム。
【請求項５】
患者の眼とのインタフェースとして作用するように構成された眼球インタフェースデバイスと、
前記眼球インタフェースデバイスを支持し、かつ電磁ビームの焦点を前記眼内の異なる位置に対して走査するように作動可能な走査アセンブリと、
前記電磁ビームを発生させるように構成された光源と、
前記電磁ビームを前記光源から前記焦点まで伝播させるように構成され、かつ反射された電磁放射線の一部分をセンサまで迂回する第１の光学要素を含む光路に沿って当該焦点位置から反射された当該電磁ビームの一部分を逆に伝播させるようにも構成された光路と、
前記焦点位置から反射された前記電磁ビームの一部分の強度を示す強度信号を発生させるように構成された検出アセンブリと、
前記第１の光学要素の周りの迂回光路に沿って前記放射線ビームを可逆的に迂回させるように構成された共焦点バイパスアセンブリであって、ビーム方向及び場所が、当該電磁ビームの伝播の方向に対して横断方向の平面内で当該迂回光路の入口とそこからの出口とで実質的に同じである、という前記共焦点バイパスアセンブリと、
を含むことを特徴とする眼球手術システム。
【請求項６】
前記ビームは、バイパスプリズムを含む前記共焦点バイパスアセンブリによって可逆的に迂回される
ことを特徴とする請求項５に記載のシステム。
【請求項７】
前記電磁ビームは、前記バイパスプリズムを前記光路内に可逆的に移動し、それによって当該電磁ビームを前記迂回光路に沿って迂回させることによって迂回される
ことを特徴とする請求項６に記載のシステム。
【請求項８】
レーザ手術システム内で撮像アセンブリを光路から可逆的に分離する方法であって、
ビーム源を用いて電磁ビームを発生させる段階と、
第１の光学要素を含む光路に沿って前記ビーム源からスキャナまで前記電磁ビームを伝播させる段階と、
前記電磁ビームを前記眼内の位置にある焦点に集束させる段階と、
前記スキャナを用いて前記焦点を前記眼内の異なる位置に対して走査する段階と、
前記焦点位置から反射された前記電磁ビームの一部分を該反射電磁放射線の一部分をセンサまで迂回させる前記第１の光学要素まで前記光路に辿って逆に伝播させる段階と、
前記センサを用いて、前記焦点位置から反射され、かつ前記第１の光学要素を通じて前記センサまで伝播された前記電磁ビームの一部分の強度を示す強度信号を発生させる段階と、
前記電磁ビームを前記第１の光学要素の周りの迂回光路に沿って可逆的に迂回させる段階であって、ビーム方向及び場所が、当該電磁ビームの伝播の方向に対して横断する方向に当該迂回光路の入口とそこからの出口とにおいて実質的に同じである、という段階と、
を含むことを特徴とする方法。
【請求項９】
眼を撮像する方法であって、
第１の偏光を有する第１の電磁放射線ビームを前記眼内の位置にある焦点に集束させる段階と、
前記第１の偏光とは異なる第２の偏光を有する第２の電磁放射線ビームを前記眼内の前記位置にある焦点に集束させる段階と、
前記第１の電磁放射線ビームを集束させる前記段階に応答して前記眼から反射された電磁放射線の強度を示す第１の強度信号を発生させる段階と、
前記第２の電磁放射線ビームを集束させる前記段階に応答して前記眼から反射された電磁放射線の強度を示す第２の強度信号を発生させる段階と、
前記第１及び第２の強度信号を用いて前記眼の１又は２以上の画像を発生させてこれらの信号を治療計画に向けて利用する段階と、
を含むことを特徴とする方法。
【請求項１０】
前記第１及び第２の電磁放射線ビームは、ビームスキャナを用いて集束され、
当該方法は、
前記第１の電磁放射線ビームの前記焦点を前記眼の第１の領域内の複数の異なる位置に対して走査する段階と、
前記第２の電磁放射線ビームの前記焦点を前記眼の第２の領域内の複数の異なる位置に対して走査する段階と、
前記第１の電磁放射線ビームの前記焦点を走査する前記段階に応答して前記眼から反射された電磁放射線の強度を示す第１の強度プロファイルを発生させる段階と、
前記第２の電磁放射線ビームの前記焦点を走査する前記段階に応答して前記眼から反射された電磁放射線の強度を示す第２の強度プロファイルを発生させる段階と、
を更に含み、
前記眼の１つの画像が、前記第１及び第２の強度プロファイル毎に発生される、
ことを特徴とする請求項９に記載の方法。
【請求項１１】
前記ビームスキャナは、前記第１及び第２の電磁放射線ビームを当該第１及び第２の電磁放射線ビームの伝播に対して横断方向の２つの次元に偏向するように構成されたＸＹ走査デバイスを含み、
前記第１及び第２の電磁放射線ビームの前記焦点は、前記ＸＹ走査デバイスを用いて前記２つの次元で走査され、
前記眼の前記１つの画像は、少なくとも２つの次元を有し、
前記ビームスキャナは、前記眼内で前記ビームの収束深度を変化させるように構成されたＺ走査デバイスを含み、
前記第１及び第２の電磁放射線ビームの前記焦点は、前記ＸＹ走査デバイス及び前記走査デバイスを用いて３つの次元で走査され、
前記眼の前記１つの画像は、３次元である、
ことを特徴とする請求項１０に記載の方法。
【請求項１２】
電磁放射線ビームを前記第１の偏光を有するように偏光させるために第１の位置にある波長板に当該電磁放射線ビームを通すことによって前記第１の電磁放射線ビームを発生させる段階と、
前記波長板を第２の位置まである角度だけ回転させる段階と、
前記第２の位置にある前記波長板に前記電磁放射線ビームを通すことによって前記第２の電磁放射線ビームを発生させる段階と、
を更に含むことを特徴とする請求項９に記載の方法。
【請求項１３】
前記第１の電磁放射線ビームを通す前記段階に応答して前記眼から反射された電磁放射線を前記第１の位置にある前記波長板に通す段階と、
前記第２の電磁放射線ビームを通す前記段階に応答して前記眼から反射された電磁放射線を前記第２の位置にある前記波長板に通す段階と、
を更に含むことを特徴とする請求項１２に記載の方法。
【請求項１４】
前記第１の電磁放射線ビームの前記焦点を前記眼内の複数の位置に対して走査する段階と、
前記第２の電磁放射線ビームの前記焦点を前記眼内の前記複数の位置の少なくとも一部分に対して走査する段階と、
前記第１の電磁放射線ビームの前記焦点を走査する前記段階に応答して前記眼から反射された電磁放射線の強度を示す第１の強度プロファイルを発生させる段階と、
前記第２の電磁放射線ビームの前記焦点を走査する前記段階に応答して前記眼から反射された電磁放射線の強度を示す第２の強度プロファイルを発生させる段階と、
前記第１及び第２の強度プロファイルを用いて前記眼の画像を発生させる段階と、
を含むことを特徴とする請求項１２に記載の方法。
【請求項１５】
前面及び後面を有する眼の角膜又は水晶体を撮像する方法であって、
ビーム源を用いて第１の電磁放射線ビームを発生させる段階と、
前記第１の電磁放射線ビームを波長板に通す段階と、
前記第１の電磁放射線ビームをビームスキャナまで伝播させる段階と、
前記ビームスキャナを用いて前記第１の電磁放射線ビームを前記眼の前記角膜内の位置にある焦点に集束させる段階と、
前記第１の電磁放射線ビームを集束させた後に前記焦点からの第１の反射電磁放射線を受光する段階と、
前記第１の受光電磁放射線を前記波長板を通してかつセンサの方向に向ける段階と、
前記第１の受光電磁放射線の強度を示す第１の強度信号を発生させる段階と、
前記第１の強度信号を発生させた後に前記波長板をある角度で回転させる段階と、
第２の電磁放射線ビームを前記回転された波長板に通す段階と、
前記第２の電磁放射線ビームを前記眼の前記角膜内の前記位置にある焦点に集束させる段階と、
前記第２の電磁放射線ビームを集束させる前記段階に応答して前記焦点からの第２の反射電磁放射線を受光する段階と、
前記第２の受光電磁放射線を前記回転された波長板を通してかつ前記センサの方向に向ける段階と、
前記第２の受光電磁放射線の強度を示す第２の強度信号を発生させる段階と、
前記第１の強度信号を用いて前記角膜の前記前面を識別する段階と、
前記第２の強度信号を用いて前記角膜の前記後面の少なくとも一部分を識別する段階と、
を含むことを特徴とする方法。
【請求項１６】
第１の複屈折を有する第１の領域と第２の複屈折を有する第２の領域とを有する角膜を有する眼を撮像する方法であって、
第１の偏光を有する第１の電磁放射線ビームを前記角膜の前記第１の領域を通して前記眼内の第１の位置に向ける段階と、
前記第１の偏光とは異なる第２の偏光を有する第２の電磁放射線ビームを前記角膜の前記第２の領域を通して前記眼内の第２の位置に向ける段階と、
前記第１及び第２の電磁放射線ビームを向ける前記段階に応答して前記眼から反射された電磁放射線信号を用いて前記第１及び第２の位置を網羅する前記眼の画像を発生させる段階と、
を含むことを特徴とする方法。
【請求項１７】
眼を撮像する方法であって、
ビーム源を用いて電磁放射線ビームを発生させる段階と、
前記電磁放射線ビームを楕円偏光する段階と、
前記楕円偏光電磁放射線ビームを前記眼内の焦点に集束させる段階と、
前記楕円偏光電磁放射線ビームの前記焦点を前記眼内の複数の異なる位置に対して走査する段階と、
前記楕円偏光電磁放射線を走査する前記段階に応答して前記焦点から反射された電磁放射線を受光する段階と、
前記受光反射電磁放射線をセンサに向ける段階と、
前記受光反射電磁放射線の強度を示す強度プロファイルを発生させる段階と、
前記強度プロファイルを用いて前記眼の第１の面及び第２の面を識別する段階と、
を含むことを特徴とする方法。
【請求項１８】
前記治療計画に対応する複数のパラメータを受信する段階と、
前記治療計画の３次元表現を発生させる段階と、
前記３次元表現を前記眼の前記画像の上にマッピングする段階と、
前記マッピングされた画像を前記治療計画に向けて表示する段階と、
を更に含むことを特徴とする請求項１に記載の方法。
【請求項１９】
前記治療計画は、弧状切開を含む
ことを特徴とする請求項１８に記載の方法。
【請求項２０】
前記弧状切開が前記角膜内に位置することを検証する段階、
を更に含むことを特徴とする請求項１９に記載の方法。
【請求項２１】
前記受信されるパラメータは、治療軸と、当該軸に対して横断する治療長さと、を含む
ことを特徴とする請求項１８に記載の方法。
【請求項２２】
前記眼の前記画像は、前記治療軸と前記治療長さとの平面内にある
ことを特徴とする請求項２１に記載の方法。
【請求項２３】
前記３次元表現は、当該３次元表現を２次元空間上に投影することによって前記眼の前記画像の上にマッピングされる
ことを特徴とする請求項１８に記載の方法。
【請求項２４】
前記表示画像は、前部と後部とを含む前記眼の角膜を含む
ことを特徴とする請求項１８に記載の方法。
【請求項２５】
眼を撮像する方法であって、
第１の電磁放射線ビームを前記眼内の位置にある焦点に集束させる段階と、
第２の電磁放射線ビームを前記眼内の前記位置にある焦点に集束させる段階と、
前記第１の電磁放射線ビームを集束させる前記段階に応答して前記眼から反射された電磁放射線の強度を示す第１の強度信号を発生させる段階と、
前記第２の電磁放射線ビームを集束させる前記段階に応答して前記眼から反射された電磁放射線の強度を示す第２の強度信号を発生させる段階と、
前記第１及び第２の強度信号を用いて前記眼の１又は２以上の画像を治療計画に向けて発生させる段階と、
前記治療計画に対応する複数のパラメータを受信する段階と、
前記治療計画の３次元表現を発生させる段階と、
前記３次元表現を前記眼の前記画像の上にマッピングする段階と、
前記マッピングされた画像を前記治療計画に向けて表示する段階と、
を含むことを特徴とする方法。